(57)【要約】      （修正有）【課題】ペット同伴者とペットに乗り合わせたくない乗客とが互いに乗り合わせることがなく、双方にとって利用効率のよいペット運転制御機能を備えたエレベータ装置及びその運転制御方法を提供する。【解決手段】各階乗り場に設けられたペット運転制御登録操作装置１３が乗り場呼び操作装置１０、１１と組み合わせて操作された場合、乗り場呼び操作で指定された階床に応答するまで、かご内に設けられたペット運転制御表示装置を点灯する制御装置と、かご内に設けられたペット運転制御表示装置が点灯した後、同じくかご内に設けられたペットお断り運転制御登録操作装置とともに行き先登録操作装置が操作され、行き先階が再登録された時には、ペットお断り運転制御を開始し、かごが再登録された行き先階に到着するまでは、各階乗り場に設けられたペット運転制御登録操作装置の操作を伴う乗り場呼びには応答しないように制御する制御装置とを具備している。【選択図】図２
2006290478.tif 000002
【特許請求の範囲】
【請求項１】
各階乗り場に設けられた、乗り場呼び操作装置、ペット運転制御登録操作装置およびペットお断り運転制御登録操作装置と、エレベータのかご内に設けられ、前記ペット運転制御登録操作装置あるいはペットお断り運転制御登録操作装置が操作されたことを示すペット運転制御表示装置およびペットお断り運転制御表示装置と、
前記エレベータのかご内に設けられた、行き先登録操作装置、ペット運転制御登録操作装置およびペットお断り運転制御登録操作装置と、前記各階乗り場に設けられ、前記ペット運転制御登録操作装置あるいはペットお断り運転制御登録操作装置が操作されたことをそれぞれ示すペット運転制御表示装置およびペットお断り運転制御表示装置と、
前記各階乗り場に設けられたペット運転制御登録操作装置が前記乗り場呼び操作装置と組み合わせて操作された場合、乗り場呼び操作のされた階床に応答するまで、前記エレベータのかご内に設けられたペット運転制御表示装置を点灯する制御装置と、
前記かご内に設けられたペット運転制御表示装置が点灯した後、同じくかご内に設けられたペットお断り運転制御登録操作装置とともに前記行き先登録操作装置が操作され、行き先階が登録または再登録された時には、ペットお断り運転制御を開始し、前記エレベータのかごが前記再登録された行き先階に到着するまでは、前記各階乗り場に設けられたペット運転制御登録操作装置の操作を伴う乗り場呼びには応答しないように制御する制御装置と、
を具備することを特徴とするエレベータ装置。
【請求項２】
各階乗り場に設けられた、乗り場呼び操作装置、ペット運転制御登録操作装置およびペットお断り運転制御登録操作装置と、エレベータのかご内に設けられ、前記ペット運転制御登録操作装置あるいはペットお断り運転制御登録操作装置が操作されたことをそれぞれ示すペット運転制御表示装置およびペットお断り運転制御表示装置と、
前記エレベータのかご内に設けられた、行き先登録操作装置、ペット運転制御登録操作装置およびペットお断り運転制御登録操作装置と、前記各階乗り場に設けられ、前記ペット運転制御登録操作装置あるいはペットお断り運転制御登録操作装置が操作されたことをそれぞれ示すペット運転制御表示装置およびペットお断り運転制御表示装置と、
前記各階乗り場に設けられたペットお断り運転制御登録操作装置が前記乗り場呼び操作装置と組み合わせて操作された場合、ペットお断り運転制御を開始するとともに、前記乗り場呼び操作のされた階床に応答するまで、前記エレベータのかご内に設けられたペットお断り運転制御表示装置及び各階乗り場に設けられたペットお断り運転制御表示装置とを点灯する制御装置と、
前記かご内に設けられたペットお断り運転制御表示装置が点灯した際、前記かごが既にペット運転制御が開始されている時は、このかごがその行き先階に到着するまでは、前記各階乗り場に設けられたペットお断り運転制御登録操作装置の操作を伴う乗り場呼びには応答せず、ペット運転制御が終了後、前記乗り場呼びに応答するように制御する制御装置と、を具備することを特徴とするエレベータ装置。
【請求項３】
前記エレベータが複数台ある場合には、ペット同伴乗客が前記ペット運転制御登録操作装置を、あるいはペットと同乗したくない乗客が前記ペットお断り運転制御操作装置をそれぞれ操作することにより、前記複数台のエレベータのうちの１台をそれらの運転制御に優先的に割り当てることを特徴とする請求項１または２記載のエレベータ装置。
【請求項４】
前記ペット運転制御登録操作装置および前記ペットお断り運転制御操作装置が同時に操作された場合には、前記複数台のエレベータのうちの２台のエレベータでそれらの役割を分担することを特徴とする請求項３記載のエレベータ装置。
【発明の詳細な説明】
【技術分野】
【０００１】
本発明は、エレベータの制御装置に関し、特に、ペット同伴者と、そのペットと乗り合わせたくない乗客とが、乗り合わせることなく、それぞれが快適にエレベータを利用することができるペット運転制御機能を備えたエレベータ装置に関するものである。
【背景技術】
【０００２】
従来、乗り場に設けた乗り場呼び釦を所定時間以上操作したとき、エレベータのかご内に乗客がいなくなった乗りかごを呼ぶようにし、ペット同伴者が乗りかご内の行き先登録釦を操作したとき、直通運転をすることにより、ペットを伴ってエレベータを利用しても、他の乗客に迷惑を掛けないようにしたエレベータも知られている（特許文献１）。
【０００３】
また、ペット同伴者がエレベータに乗っていることを、ペットを連れて乗ろうとしている人に知らせて、ペット同士の鉢合わせを未然に防ぐことができるペット対応型のエレベータが知られている（特許文献２）。
【特許文献１】特開２００３−２５４８号公報
【特許文献２】特開２００１−３２２７７５号公報
【発明の開示】
【発明が解決しようとする課題】
【０００４】
上記のような従来のペット対応型のエレベータにおいては、ペット同伴者が乗っている間は、他の乗客は利用できず、また、ペット同伴者が乗ろうとする場合も、他の乗客がかご内にいなくなるまで待つ必要があるため、一般乗客およびペット同伴者双方にとって利用効率が悪いという欠点があった。
【０００５】
また、ペット同伴者がエレベータに乗り込む際、あるいは乗り込んだ後に、ペットが乗っていることをエレベータを待っている他の乗客に知らせる表示を行うようにしたエレベータにおいては、ペットに乗り合わせたくない乗客がすでにかごに乗っている場合、途中でペット同伴者がかご内に乗り込んでくることを阻止することはできなかった。さらに、ペットに乗り合わせたくない乗客が乗り場で待っている時に、ペット運転が開始され、ペットが乗ったかごが到着するという問題もあった。
【０００６】
したがって本発明の目的は、上記問題を解決し、ペット同伴者とペットに乗り合わせたくない乗客とが互いに乗り合わせることがなく、かつ、双方にとって利用効率のよいペット運転制御機能を備えたエレベータ装置を提供することにある。
【課題を解決するための手段】
【０００７】
本発明のエレベータ装置は、各階乗り場に設けられた、乗り場呼び操作装置、ペット運転制御登録操作装置およびペットお断り運転制御登録操作装置と、エレベータのかご内に設けられ、前記ペット運転制御登録操作装置あるいはペットお断り運転制御登録操作装置が操作されたことを示すペット運転制御表示装置およびペットお断り運転制御表示装置と、
前記エレベータのかご内に設けられた、行き先登録操作装置、ペット運転制御登録操作装置およびペットお断り運転制御登録操作装置と、前記各階乗り場に設けられ、前記ペット運転制御登録操作装置あるいはペットお断り運転制御登録操作装置が操作されたことをそれぞれ示すペット運転制御表示装置およびペットお断り運転制御表示装置と、
前記各階乗り場に設けられたペット運転制御登録操作装置が前記乗り場呼び操作装置と組み合わせて操作された場合、乗り場呼び操作のされた階床に応答するまで、前記エレベータのかご内に設けられたペット運転制御表示装置を点灯する制御装置と、
前記かご内に設けられたペット運転制御表示装置が点灯した後、同じくかご内に設けられたペットお断り運転制御登録操作装置とともに前記行き先登録操作装置が操作され、行き先階が再登録された時には、ペットお断り運転制御を開始し、前記エレベータのかごが前記再登録された行き先階に到着するまでは、前記各階乗り場に設けられたペット運転制御登録操作装置の操作を伴う乗り場呼びには応答しないように制御する制御装置と、を具備することを特徴とする。
【０００８】
また、本発明のエレベータ装置は、各階乗り場に設けられた、乗り場呼び操作装置、ペット運転制御登録操作装置およびペットお断り運転制御登録操作装置と、エレベータのかご内に設けられ、前記ペット運転制御登録操作装置あるいはペットお断り運転制御登録操作装置が操作されたことをそれぞれ示すペット運転制御表示装置およびペットお断り運転制御表示装置と、
前記エレベータのかご内に設けられた、行き先登録操作装置、ペット運転制御登録操作装置およびペットお断り運転制御登録操作装置と、前記各階乗り場に設けられ、前記ペット運転制御登録操作装置あるいはペットお断り運転制御登録操作装置が操作されたことをそれぞれ示すペット運転制御表示装置およびペットお断り運転制御表示装置と、
前記各階乗り場に設けられたペットお断り運転制御登録操作装置が前記乗り場呼び操作装置と組み合わせて操作された場合、ペットお断り運転制御を開始するとともに、前記乗り場呼び操作のされた階床に応答するまで、前記エレベータのかご内に設けられたペットお断り運転制御表示装置及び各階乗り場に設けられたペットお断り運転制御表示装置を点灯する制御装置と、
前記かご内に設けられたペットお断り運転制御表示装置が点灯した際、前記かごが既にペット運転制御が開始されている時は、このかごがその行き先階に到着するまでは、前記各階乗り場に設けられたペットお断り運転制御登録操作装置の操作を伴う乗り場呼びには応答せず、ペット運転制御が終了後、前記乗り場呼びに応答するように制御する制御装置と、を具備することを特徴とする。
【発明の効果】
【０００９】
上記本発明のエレベータ装置によれば、ペット同伴者とペットに乗り合わせたくない乗客とが互いに乗り合わせることがなく、かつ、双方にとって利用効率のよいペット運転制御機能を備えたエレベータ装置及びその運転制御方法を提供することができる。
【発明を実施するための最良の形態】
【００１０】
以下、図面を参照して本発明の実施形態を詳細に説明する。
【００１１】
図１は本発明の実施形態で用いられるエレベータ装置のかご内に装着されるかご内コントロールパネルの一例を示す平面図であり、図２は同じく本発明の実施形態で用いられるエレベータ装置の各階乗り場付近の一例を示す正面図である。
【００１２】
エレベータ装置のかご内コントロールパネル１は、図１に示されるように、例えば１階から８階までの数字が表示された行き先登録釦２、戸開釦３、戸閉釦４が配列されるほかに、ペットお断り運転制御登録釦５およびペット運転制御登録釦６が上部及び下部に設けられている。また、コントロールパネル１には、ペット運転制御灯１６およびペットお断り運転制御灯１７が設けられている。
【００１３】
次に、各階乗り場付近には、図２に示されるように、例えば、扉１８の周囲上部に、上昇方向灯７、下降方向灯８、それらの間にかごの位置を示す階数が表示されたかご位置表示灯９が水平方向に配列されている。また、扉１８の周囲上部には、これらの表示灯に隣接して、ペットお断り運転制御灯１４およびペット運転制御灯１５がそれらの機能を表す表示とともに設けられている。さらに、扉１８の周囲側部には、上昇呼び釦１０および下降呼び釦１１が設けられ、その上部には、ペットお断り運転制御登録釦１２およびペット運転制御登録釦１３がそれぞれの機能表示とともに設けられている。
【００１４】
次に、このように構成されたエレベータ装置の運転動作を図３および図４を用いて説明する。図３および図４は、本発明の実施形態に係るエレベータ装置の動作を説明するためのフローチャートであり、図３は、かご内に設置されたペットお断り運転制御登録釦が押された場合の動作を示し、図４は、乗り場に設置されたペットお断り運転制御登録釦が押された場合の動作を示すフローチャートである。
【００１５】
先ず、図３を参照して、かご内に設置されたペットお断り運転制御登録釦が押された場合の動作を説明する。
【００１６】
先ず、ペット同伴者は、エレベータに乗り込む際に、乗り場のペット運転制御登録釦１３を押し、それに合わせて自分の行き先方向を選択する上昇呼び釦１０あるいは下降呼び釦１１を押す。この結果、ペット運転制御が開始され、かごに設けられたペット運転制御表示灯１６が点灯する。なお、この表示灯１６は、かごの方向性により、終端階に到達する前に乗り場呼びに応答できる場合には、ペット運転制御が開始されていることを表示する。なお、一旦方向性を反転しないと前記乗り場呼びに応答できない場合には、乗り場呼びに応答できる方向性に反転された段階で、前記ペット運転制御登録釦１３を点灯させる。
【００１７】
このかご内にペットと乗り合わせたくない乗客が居た場合には、かご内のペット運転制御表示灯１６を見て、ペットが乗ってくることを理解できるため、かご内のペットお断り運転制御登録釦５を押す（Ｓ１）とともに、行き先階登録釦２を用いて、自分の行き先階を再登録する。これによって、各階の乗り場におけるペットお断り運転制御表示灯１４が点灯され（Ｓ３）、ペットお断り運転制御が開始される（Ｓ４）。ペットお断り運転制御が開始されると、再登録された階床までペット同伴者の乗り場呼びに応答させないようにする。すなわち、途中の乗り場にペット運転登録釦１３が押された階があるか否かが判断され（Ｓ５）、なければ一般乗り場呼びおよびペットお断り運転制御を伴う乗り場呼びに対して応答する（Ｓ６）。
【００１８】
次に、ペットお断り運転制御が開始された後、ステップ（Ｓ５）の判断の結果、途中の乗り場にペット運転登録釦１３が押された階があると判断された場合には、それらの階に対する応答は留保され、次に優先的に割り付けられる一般乗り場呼びおよびペットお断り運転制御を伴う乗り場呼びに対して応答しつつ、再登録された目的の階床までペットお断り運転制御が継続される（Ｓ７）。
【００１９】
同じかご内にペットお断り運転制御を希望する乗客が他にも居た場合、最も遠い階床に到着するまでペットお断り運転制御が継続される。すなわち、かごが目的の階床に到着した際、複数のペットお断り運転制御に全て応答したか否かが判断され（Ｓ８）、否の場合には、ステップ（Ｓ４）に戻り、ペットお断り運転制御が継続される。ステップＳ８における判断の結果、Ｙｅｓの場合には、各階の乗り場におけるペットお断り運転制御表示灯１４が消灯され（Ｓ９）、平常運転に戻る（Ｓ１０）。
【００２０】
なお、かご内のペットお断り運転制御登録釦５は、予め、行き先階登録釦２とともに押すことにより、最初からペットお断り運転制御を起動させることも可能である。
【００２１】
次に、図４を参照して、乗り場に設置されたペットお断り運転制御登録釦が押された場合の動作を説明する。
【００２２】
ペットと同乗したくない乗客が、エレベータに乗り込む際に予めペットお断り運転制御登録釦１２を押し（Ｓ１）、これとともに行き先の方向性を指示する乗り場呼び釦１０または１１を押すと（Ｓ２）、かごに設けられたペットお断り運転制御表示灯１７及び乗り場に設けられたペットお断り運転制御灯１４が点灯表示され（Ｓ３）、ペットお断り運転制御が開始される（Ｓ４）。この場合、かごに設けられた表示灯１７及び乗り場に設けられたペットお断り運転制御灯１４には、かごの方向性により、終端階に到着する前にその乗り場呼びに応答できる場合に、ペットお断り運転制御が開始されていることが点灯表示される。
【００２３】
このとき、ペットお断り運転制御登録釦１２が押された階床に向かったかごが、ペット制御運転中か否かが判断され（Ｓ５）、ペット同伴乗客が乗っているペット制御運転中である場合、その呼びには応答せず、目的階床までペット制御運転が継続される（Ｓ６）。このペット制御運転は、目的階床に到着直前に完了し（Ｓ７）、かごは目的階床に到着する（Ｓ８）まで継続する。
【００２４】
ステップ（Ｓ５）におけるペット制御運転中か否かの判断の結果、ペット制御運転中ではないと判断された場合には、ペットお断り運転制御登録釦１２が押された階床にかごが到着し（Ｓ８）、ペットと同乗したくない乗客がエレベータに乗り込む。そしてペットお断り運転の目的となる。そこで登録されたかご呼びの階床に到着する直前にかご内のペットお断り運転制御表示灯１７及び乗り場に設けられたペットお断り運転制御灯１４が消灯し（Ｓ９）、平常運転に戻る（Ｓ１０）。ステップ（Ｓ２）において、方向性釦１０または１１のいずれも押されない場合には、ペットお断り運転制御は行われず、平常運転に戻る（Ｓ１０）。
【００２５】
更に、図４の乗り場ペットお断り運転制御にて乗り場に応答した際に、図３のプロセスを組み合わせることで、その階床から乗り合わせた全ての人に対してペットお断り運転を継続する必要がなくなり、より効率的な運転も可能となる。
【００２６】
以上の説明は、エレベータが１台の場合について説明したが、複数台の場合についても適用できることはいうまでもない。エレベータが複数台ある場合には、ペット同伴乗客がペット運転制御登録釦１３を、あるいはペットと同乗したくない乗客がペットお断り運転制御登録釦１２をそれぞれ操作することにより、複数台のエレベータのうちの１台をそれらの運転制御に優先的に割り当てる。そしてもし、２つの運転制御釦１２あるいは１３が同時に押された場合には、２台のエレベータでそれらの役割を分担する。
【００２７】
以上説明した本発明の実施形態によれば、ペット対応型エレベータを利用する乗客のうち、特にペットを苦手とする乗客にとってはペットに乗り合わせることなく快適に利用することができ、有効である。
【００２８】
本発明は上記の実施形態に限定されるものではなく、特許請求の範囲に記載された技術思想の範囲内で種々の変形が可能である。例えば、エレベータのかご内の表示灯は操作釦と共用したが、これらを別個に設けてもよいことは言うまでもない。
【図面の簡単な説明】
【００２９】
【図１】本発明の実施形態で用いられるエレベータ装置のかご内に装着されるコントロールパネルの平面図である。
【図２】同じく本発明の実施形態で用いられるエレベータ装置の各階乗り場付近の正面図である。
【図３】本発明の実施形態に係るエレベータ装置の動作を説明するためのフローチャートである。
【図４】同じく本発明の実施形態に係るエレベータ装置の動作を説明するためのフローチャートである。
【符号の説明】
【００３０】
１…かご内コントロールパネル、２…行き先階登録釦、３…戸開釦、４…戸閉釦、５…ペットお断り運転制御登録釦（かご内）、６…ペット運転制御登録釦（かご内）、７…上昇方向灯、８…下降方向灯、９…かご位置表示灯、１０…上昇呼び釦、１１…下降呼び釦、１２…ペットお断り運転制御登録釦（乗り場）、１３…ペット運転制御登録釦（乗り場）、１４…ペットお断り運転制御灯（乗り場）、１５…ペット運転制御灯（乗り場）、１６…ペット運転制御表示灯、１７…ペットお断り運転制御表示灯
【図１】
2006290478.tif 000003
【図２】
2006290478.tif 000004
【図３】
2006290478.tif 000005
【図４】
2006290478.tif 000006